(57)【要約】【課題】  撮影を終了した際にディスクへの画像データの記録が終了していない場合において、ユーザが感じる違和感と精神的苦痛を軽減する。【解決手段】  撮影を終了した際にディスクへの画像データの記録が終了していない場合、例えば、Ｓ１００の電源スイッチＯＦＦ状態では、ディスクへの画像データの記録終了までの時間を画面表示する（Ｓ１０５）。【選択図】  図３
2005117479.tif 000002
【特許請求の範囲】
【請求項１】
被写体画像を撮影することにより得られた画像データをディスクに記録するディスク記録装置であって、
前記撮影を終了した際に前記ディスクへの画像データの記録が終了していない場合は、前記ディスクへの画像データの記録を行っている旨の通知を行うことを特徴とするディスク記録装置。
【請求項２】
前記撮影により得られた画像データを表示する表示手段をさらに有し、
前記表示手段を使用して、前記ディスクへの画像データの記録を行っている旨の通知を可視的に行うことを特徴とする請求項１に記載のディスク記録装置。
【請求項３】
前記表示手段は、前記ディスクへの記録が終了するまでの時間を表示することを特徴とする請求項２に記載のディスク記録装置。
【請求項４】
前記表示手段は、全体の記録処理時間に対する進行状況を表示することを特徴とする請求項２または３に記載のディスク記録装置。
【請求項５】
操作者の操作入力に応じて電源のＯＮ状態とＯＦＦ状態とを切り替える切替手段をさらに有し、
前記切替手段によりＯＦＦ状態に切り替わることに応じて前記画像データの撮影を終了し、撮影終了時に前記ディスクへの記録が終了していなければ、前記通知を行うことを特徴とする請求項１〜４のいずれかに記載のディスク記録装置。
【請求項６】
前記撮影により得られた画像データを一時的に記憶するバッファメモリをさらに有し、
前記撮影終了後における前記バッファメモリに記憶されている画像データのデータ量に基づいてデータ記録に要する所要時間を計算し、計算した所要時間に応じた前記通知を行うことを特徴とする請求項１〜５のいずれかに記載のディスク記録装置。
【請求項７】
被写体画像を撮影することにより得られた画像データをディスクに記録するディスク記録方法であって、
前記撮影を終了した際に前記ディスクへの画像データの記録が終了していない場合は、前記ディスクへの画像データの記録を行っている旨の通知を行うことを特徴とするディスク記録方法。
【請求項８】
被写体画像を撮影することにより得られた画像データをディスクに記録するディスク記録方法を実行するためのプログラムであって、
前記撮影を終了した際に前記ディスクへの画像データの記録が終了していない場合は、前記ディスクへの画像データの記録を行っている旨の通知を行うことを特徴とするプログラム。
【発明の詳細な説明】
【技術分野】
【０００１】
本発明は、被写体画像を撮影することにより得られた画像データをディスクに記録するディスク記録装置、ディスク記録方法、及びプログラムに関するものである。
【背景技術】
【０００２】
ビデオカメラ装置としては、磁気テープを使った８ｍｍビデオカメラ、ＤＶカメラなどがあったが、近年は記録媒体として光ディスクを使ったビデオカメラが登場してきている。光ディスクを使用した画像記録再生装置は、ランダムアクセス性に優れ、記憶容量も大きい。
【０００３】
また、ディスク記録再生装置は、光学式かつ非接触で記録再生を行うので、磁気テープのような接触型の記録媒体を使用する装置と比較してヘッドクロッグやテープへのダメージがない。また、薄型化・軽量化も可能であり、次世代のビデオカメラとして期待されている。
【０００４】
ディスク記録再生装置は、画像データを一時保存しておくバッファメモリを備えている場合が多い。このような装置は、撮影した画像データを一旦バッファメモリに保存しておき、保存したデータをバッファメモリから読み出して光ディスクへ記録するよう構成されている。これにより、振動・衝撃等の外乱によって光ディスクへのデータ書き込みが継続できず、ヘッドの再位置決め等を待たなければならない場合でも、その間の画像データはバッファメモリに蓄積されているので、撮影して得られた画像データを途切れさせることなく連続して取込めるので、データの書込みに失敗することを防ぐことができる。
【０００５】
通常、ディスク記録再生装置はディスク書込み・読出しレートが画像データ転送レートよりも高速なディスク駆動装置を搭載している。この場合、撮影画像データを一旦バッファメモリに記録し、ある程度バッファメモリにデータが蓄積された時点で一気に光ディスクに書き込むことができる。これによって、ディスクアクセスを減らすことができ、省電力、システムの効率化が可能となる（特許文献１参照）。
【０００６】
また、光ディスクには、ＣＤ−Ｒ、ＲＷ、ＤＶＤ±Ｒ，ＲＷなど多くの種類が規格化されており、いずれの規格にも画像などのデータを記録するエリアと、書始め領域、書終り位置、目次情報などの管理情報を記録するエリアを有している。光ディスクにデータを記録する場合はこの管理情報も正しく書き変えなければならない。撮影を終了する場合は、電源を切る前に追記した画像データに対応してこの管理情報を書き換えることで、次回撮影時あるいは再生する時に正常な動作が可能となる。
【特許文献１】特開２０００−２３６４６４号公報
【発明の開示】
【発明が解決しようとする課題】
【０００７】
光ディスクを使ったビデオカメラでは，バッファメモリを使うことで撮影時の機能性を向上させているが、その反面、次のような問題も生じる。
【０００８】
すなわち、撮影者が撮影を終了し電源スイッチを切るような場合、電源スイッチを切っても、ビデオカメラのシステムはバッファメモリに残っているデータを光ディスクに書き込む必要があり、次に管理情報データを更新し終わるまでシステムは電源をオフにして終了することができない。また、光ディスク装置は動作中の振動や衝撃に対して弱いため、光ディスク装置の動作が終了するまで、撮影者は大きな衝撃がかからないようにビデオカメラを確保しておかなければならない。
【０００９】
このため、撮影者は電源スイッチを切ってから実際に電源が切れるまで数秒〜数十秒もの間、画像記録装置を暫くそのままの状態にして待たなければならず、使用上の違和感を覚えるとともに、精神的な苦痛を伴うこととなっていた。
【００１０】
本発明は、上述した問題点を解決するためのものであり、撮影を終了した際にディスクへの画像データの記録が終了していない場合における、ユーザが感じる違和感と精神的苦痛の軽減を図ることを目的とする。
【課題を解決するための手段】
【００１１】
上記目的を達成するために、本発明のディスク記録装置は、被写体画像を撮影することにより得られた画像データをディスクに記録するディスク記録装置であって、前記撮影を終了した際に前記ディスクへの画像データの記録が終了していない場合は、前記ディスクへの画像データの記録を行っている旨の通知を行うことを特徴とする。
【００１２】
また、本発明のディスク記録方法は、被写体画像を撮影することにより得られた画像データをディスクに記録するディスク記録方法であって、前記撮影を終了した際に前記ディスクへの画像データの記録が終了していない場合は、前記ディスクへの画像データの記録を行っている旨の通知を行うことを特徴とする。
【００１３】
また、本発明のプログラムは、被写体画像を撮影することにより得られた画像データをディスクに記録するディスク記録方法を実行するためのプログラムであって、前記撮影を終了した際に前記ディスクへの画像データの記録が終了していない場合は、前記ディスクへの画像データの記録を行っている旨の通知を行うことを特徴とする。
【発明の効果】
【００１４】
本発明によれば、撮影を終了した際にディスクへの画像データの記録が終了していない場合において、ユーザが感じる違和感と精神的苦痛を軽減することができるという効果がある。
【発明を実施するための最良の形態】
【００１５】
以下、図面を参照して本発明の実施の形態を詳細に説明する。
【００１６】
図１は、本発明を適用したビデオカメラの概略構成を示すブロック図である。１０は、被写体を撮影することにより得られた動画像信号を出力するＣＣＤセンサ、１１はＣＣＤセンサからの信号を処理する回路、１３はカメラ制御マイコンである。カメラ制御マイコン１３は、光学系の状態やＣＣＤセンサから得られた映像情報とカメラ全体の操作から得られた情報に基づき、カメラ信号処理回路１１での信号処理を最適に制御する。
【００１７】
１８は出力画像をフレーム単位で一時記憶するバッファメモリ、２０はカメラ信号処理回路１１から出力された画像データを、フレーム間相関情報を利用して圧縮符号化する画像変換回路（いわゆるＭＰＥＧ符号化回路）、２２は圧縮画像データをディスク状記録媒体の記録フォーマットに対応するフォーマットデータに変換する信号処理回路である。本実施形態では画像変換回路２０をＭＰＥＧ符号化回路としたが、本発明はこれに限らず、Ｍｏｔｉｏｎ−ＪＰＥＧ等、他の圧縮符号化を実行する回路を適用してもよいことは言うまでもない。
【００１８】
２６は変調してディスク２８に記録する変調回路、３０はディスク２８の記録ヘッドの位置等を制御するヘッド制御回路、３２はディスク２８の回転などを制御するディスク制御回路、３４はバッファメモリ１８の残量を検出する残量検出回路、３５は電源の供給・停止を行う電源回路である。３６はマイクロコンピュータからなり、ビデオカメラ全体を制御するシステム制御回路、３８はシステム制御回路３６にユーザが種々の指示を入力する操作装置、４０は撮影・再生した画像データ及び動作状況などを表示する表示装置である。
【００１９】
本実施形態の記録動作の概要を説明する。ユーザがビデオカメラを構え、操作装置３８において記録スタートの操作指示を行うと、操作指示に応じた指示信号がシステム制御回路３６に入力され、システム制御回路３６は、各コンポーネントを以下のように動作させる。
【００２０】
まず、カメラ信号処理回路１１は、動画像信号を画像変換回路２０に出力する。画像変換回路２０で処理された画像データは、バッファメモリ１８に書き込まれる。ここで、バッファメモリ１８は、画像データを数秒〜数十秒分保存できる。画像変換回路２０は、バッファメモリ１８に書き込まれた画像データを周知のＭＰＥＧ方式で圧縮し、圧縮画像データをバッファメモリ１８に書き戻す。信号処理回路２２は、バッファメモリ１８に書き戻された圧縮画像データを所定サイズの画素ブロック単位で読み込み、さらにエラー訂正符号化処理等を施したデータを記録用フォーマットでバッファメモリ１８に書き込む。
【００２１】
バッファメモリ１８に所定量の画像データが蓄積されると、蓄積した画像データは順次変調回路２６に読み出される。変調回路２６は、バッファメモリ１８からのデータを、ディスク２８への記録に適した形態に変調する。そして、図示しないヘッドが、変調回路２６からの出力データをディスク２８に記録する。
【００２２】
一般的に、バッファメモリ１８への書込みよりも、読み出しの方が速い。従って、光ディスク２８への書込みに従い、バッファメモリ１８の記憶データ量が減少する。メモリ１８の記憶データ量が所定値を下回ると、バッファメモリ１８からの読み出しが中断され、専ら信号処理回路２０により処理されたデータがメモリ１８に蓄積される。
【００２３】
図２は、ヘッド制御回路３０及びディスク制御回路３２の概略構成を示すブロック図である。
【００２４】
ヘッド制御回路３０は、ヘッドをディスク２８の半径方向に移動させるリニアモータ４２、フォーカス調整のためのレンズアクチュエータ４４及びヘッド位置検出回路４６を具備する。ディスク制御回路３２は、ディスク２８を回転するスピンドルモータ４８及びその回転を検出するスピンドル回転検出回路５０を具備する。レンズアクチュエータ４４は、ヘッドをディスク２８の半径方向に微小移動するのにも使用される。
【００２５】
システム制御回路３６は、ディスク２８の回転の速度・位相情報を検出する速度・位相情報検出回路５２、その回転速度・位相の所定値からの差を算出し、その差に相当する電圧をスピンドルモータ４８に印加する回転速度エラー・位相エラー生成回路５４、ヘッドとディスク２８間で所定の相対距離を確保するためのフォーカシング情報を検出するフォーカシング情報検出回路５６、そのフォーカシング情報に従いレンズアクチュエータ４４を駆動するフォーカスエラー生成回路５８、ヘッドと記録トラックの間のディスク半径方向での偏差を検出するトラッキング情報検出回路６０、そのトラッキング情報をもとにヘッドが記録トラックに沿うようにディスク半径方向にヘッドを微小に移動するアクチュエータと大きく移動するリニアモータ４２への駆動信号を生成するトラバースエラー・トラッキングエラー生成回路６２、ファイルシステム等の論理アドレスからディスク２８の書き込み物理アドレスを生成する物理アドレス情報生成回路６４、及び、その物理アドレス情報からトラバースエラー信号の目標値を生成するアクセス制御情報生成回路６６を具備する。
【００２６】
回転・位相情報検出回路５２は、スピンドル回転検出回路５０から出力されるＦＧパルスの周期を計測して、ディスク２８の回転速度を検出し、ディスク２８の基準位置を参照して、その回転位相を検出する。回転エラー位相エラー生成回路５４は、回転・位相情報検出回路５２の検出結果に従いスピンドルモータ４８の回転制御信号を生成する。スピンドルモータ４８は、その回転制御信号に応じた駆動信号で駆動され、その結果、所定の回転速度・位相でディスク２８を回転する。
【００２７】
ヘッド位置検出回路４６は、ヘッド部のレンズを通過しディスク２８に反射され戻ってきたレーザ光により、ヘッド（レンズ）の位置を検出する。具体的な説明は省略するが、ヘッド位置検出回路４６は、反射光の位相及び反射光の円の変形から、記録トラックの位置との偏差及びディスク面との相対距離を検出する。フォーカシング情報検出回路５６は、ヘッド位置検出回路４６からのこれらの情報からディスク２８とヘッドの相対距離を検出する。フォーカスエラー検出回路５８は、回路５６で検出された相対距離が最適になるように、レンズアクチュエータ４４をディスク２８面に垂直な方向で移動する制御信号を生成する。レンズアクチュエータ４４は、回路５８からのフォーカスエラー信号に従い駆動される。これにより、ディスク２８とヘッドの相対距離が最適に制御される。
【００２８】
トラッキング情報検出回路６０は、ヘッド位置検出回路４６の出力からトラックとヘッドの偏差を検出する。この偏差情報は、トラバース・トラッキング情報エラー生成回路６２に供給される。一方、物理アドレス情報生成回路６４は、記録しようとするデータの論理アドレスからディスク２８の物理アドレスを生成し、アクセス制御情報生成回路６６は、その物理アドレスに対応するディスク２８の半径位置の情報を生成する。トラバースエラー・トラッキングエラー生成回路６２は、回路６０，６６の出力に従い、目標位置となるディスク２８の半径位置と現在のヘッド位置との偏差を算出し、それが所定値より大きい場合には、誤差信号をリニアモータ制御信号としてリニアモータ４２に印加し、所定値よりも小さい場合には、誤差信号を半径方向移動信号としてレンズアクチュエータ４４に印加する。
【００２９】
このような動作により、データがディスク２８の所定の箇所に記録される。ディスク状記録媒体は、基本的にランダムアクセスが可能である。一連のデータを離散する箇所に分離して記録できる。しかし、次のデータを記録する位置が、直前の記録位置から大きく離れている場合、リニアモータ４２によりヘッドを移動する必要があり、これは、レンズアクチュエータ４４による半径方向の移動に比べて、長い時間を必要とする。リニアモータ４２によるヘッドの移動の間、ディスク２８への書込みは行えないので、その間のデータはバッファメモリ１８に蓄積される。
【００３０】
ビデオカメラの場合手に持って撮影することが多いが、この場合撮影中に予期せぬ振動や衝撃を与えることも多い。このような外部からの振動により、ヘッド位置がずれた場合、フォーカスが外れた場合、及びディスク２８の位相制御が外れた場合には、ヘッドを正しく位置決めするまでの間、データをディスク２８に書き込めない。このときのも同様に、その間のデータはバッファメモリ１８に蓄積される。
【００３１】
本実施形態の特徴的な動作を説明する。図３は、ユーザの撮影終了に応じてビデオカメラが終了動作を行う時のシステム制御回路３６が実行する処理フローを示す図である。
【００３２】
ユーザがビデオカメラの撮影を終え、撮影終了を操作装置３８からシステム制御回路３６に指示すると（Ｓ１００）、システム制御回路３６は残量検出回路３４からバッファメモリ１８の残量を読み取る（Ｓ１０１）。システム制御回路３６はバッファメモリの残量、所定の管理情報のデータ量、ディスク媒体の書込み対応速度、及びディスク記録装置から決められるデータ転送レートをもとにデータ記録に要する所要時間を計算する（Ｓ１０２）。
【００３３】
システム制御回路３６は、画像制御部４５を介して、例えば図４に示すように画像表示部にステップＳ１０２で計算された時間を表示する（Ｓ１０５）。図４の表示例では実際に終了までの秒数を表示しているが、図５に示すように全体の処理時間を棒グラフで表して進捗状況を表示すること、もしくは両方を表示することも当然可能である。また、「しばらくお待ちください・・・」のみを表示して、データ記録が続けて行われていることのみをユーザへ通知してもよい。
【００３４】
このようにユーザは画面上に表示される終了までの残り時間を確認できる為、いつ動作が終了するか分からずビデオカメラが停止するまで待たされる精神的な苦痛が軽減され、終了操作を行ったのにその後もなかなか電源が切れないという違和感が解消される。
【００３５】
ステップＳ１０５における時間表示を行う一方で、システム制御回路３６はバッファメモリに残っている画像データ及び管理情報を書き込む（Ｓ１０３）。書込み中かどうかを記録作業状態検出手段によって検出し（Ｓ１０４）、書込み中であれば、所定時間（Ｓ１０７）ごとにバッファメモリ残量検出（Ｓ１０１）へ戻り、上記ステップＳ１０２以降の処理を繰り返す。ディスクに書き終えたらシステム制御回路は電源回路３５を停止する（Ｓ１０６）。
【００３６】
以上説明してきたように、本実施形態によれば、電源ＯＦＦにして撮影を終了した際に、ディスクへの画像データの記録が終了していない場合、画像表示部を用いて、終了時間等を画面表示するようにした。
【００３７】
これにより、ユーザは、電源ＯＦＦ後においてもディスク記録が続いていることを知ることができるとともに、その終了時刻や進行状況を知ることができ、ユーザは違和感なくかつ快適にビデオカメラを操作することができる。
【００３８】
（他の実施形態）
上記実施形態においては、カメラ一体型の画像記録再生装置を用いて本発明の説明を行ったが、本発明はこれに限るものではなく、例えばカメラユニット部とディスク記録部が別筐体であるもの等、複数のユニットから構成されるカメラシステムにおいても適用可能であることは言うまでもない。
【００３９】
また、上記実施形態においては、ディスクとして光ディスクを使用する例をのべたが、本発明はこれに限るものではなく、ハードディスク等、他のディスク記録装置においても適用可能であることは言うまでもない。
【００４０】
また、その通知方法も、表示手段による通知に限るものではなく、スピーカによる音声通知や、発光ダイオードの点滅による通知等、他の手段を用いた通知によるものでもよいことは言うまでもない。
【００４１】
また、電源スイッチＯＮ／ＯＦＦに応じたディスク記録制御に限らず、電源スイッチＯＮ状態であっても録画ボタンの押下を止めたことに応じて、図３と同様な制御を実行してもよい。
【００４２】
なお、本発明の目的は、前述した各実施形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００４３】
この場合、記憶媒体から読み出されたプログラムコード自体が本発明の新規な機能を実現することになり、そのプログラムコードを記憶した記憶媒体およびプログラムは本発明を構成することになる。
【００４４】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００４５】
また、コンピュータが読み出したプログラムコードを実行することにより、前述した各実施形態の機能が実現されるだけでなく、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００４６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施形態の機能が実現される場合も含まれる。
【図面の簡単な説明】
【００４７】
【図１】本発明の実施形態におけるビデオカメラの概略構成を示すブロック図である。
【図２】ヘッド制御回路３０及びディスク制御回路３２の概略構成を示すブロック図である。
【図３】ビデオカメラの終了動作時におけるシステム制御回路３６が実行する処理フローを示す図である。
【図４】データ記録に要する所要時間の第１表示例である。
【図５】データ記録に要する所要時間の第２表示例である。
【符号の説明】
【００４８】
１０  撮像素子（ＣＣＤセンサ）
１３  カメラ制御回路
１８  バッファメモリ
２０  画像変換回路
２２  信号処理回路
２６  変調回路
２８  ディスク
３０  ヘッド制御回路
３２  ディスク制御回路
３４  残量検出回路
３６  システム制御回路
３８  操作装置
４０  表示装置
４２  リニアモータ
４４  レンズアクチュエータ
４６  ヘッド位置検出回路
４８  スピンドルモータ
５０  スピンドル回転検出回路
５２  速度・位相情報検出回路
５４  回転速度エラー・位相エラー生成回路
５６  フォーカシング情報検出回路
５８  フォーカスエラー生成回路
６０  トラッキング情報検出回路
６２  トラバースエラー・トラッキングエラー生成回路
６４  物理アドレス情報生成回路
６６  アクセス制御情報生成回路
【図１】
2005117479.tif 000003
【図２】
2005117479.tif 000004
【図３】
2005117479.tif 000005
【図４】
2005117479.tif 000006
【図５】
2005117479.tif 000007